(57)【要約】      （修正有）【課題】電池受容体及び電池受容体が適用される発光疑似餌を提供する。【解決手段】発光疑似餌１００は、疑似餌本体６０と、疑似餌本体内に設けられる発光モジュール５０とを有し、発光モジュールは発光アセンブリ４０と、発光アセンブリに接続され且つ発光アセンブリに電力を提供する給電モジュールとを含み、給電モジュールは場合によって充電式電池または電池モジュールで電力を提供するように構成され、電池モジュールは少なくとも１つの一次電池及び電池受容体からなり、電池受容体は充電式電池と同じサイズを有するハウジングとハウジング内に設けられる電力アセンブリとを含む。【選択図】図５
0003225385.tif 000002
【実用新案登録請求の範囲】
【請求項１】
少なくとも１つの一次電池と組み合わせて発光疑似餌内に収容される電池モジュールを構成するように実施され、前記発光疑似餌は場合によって前記電池モジュールまたは充電式電池をその中に組み入れるように構成され、前記充電式電池は第１のサイズを有し、前記一次電池は２つの電極を有するように構成される電池受容体であって、
前記第１のサイズとほぼ同じである第２のサイズを有し、遷移部と、前記遷移部に接続され且つ場合によって前記一次電池を入れるように構成される受容部とを含む、ハウジングと、
前記ハウジング内に設けられ、前記遷移部に設けられる回路基板と、前記受容部に対向するように前記回路基板に設けられることによって前記一次電池が入れられるとき、前記２つの電極のうちの一方に接触する第１の導電端子と、前記受容部の前記回路基板から離隔する一端まで延在して前記回路基板に接続され且つ前記一次電池が入れられるとき、前記２つの電極のうちの他方に接触する第２の導電端子と、前記ハウジングから突出するように前記回路基板側に設けられ且つ前記第１の導電端子及び前記第２の導電端子とそれぞれ電気的に接続される２つの出力端子とを含む電力アセンブリと、を含むことを特徴とする電池受容体。
【請求項２】
前記ハウジングは、前記遷移部に配置され且つ前記２つの出力端子をそれぞれ通すための２つの貫通孔を有することを特徴とする請求項１に記載の電池受容体。
【請求項３】
前記ハウジングは、ベースハウジングと、前記ベースハウジングに対応するように設けられる部分ハウジングとを有し、前記ベースハウジングの前記部分ハウジングが組み付けられる部分により前記遷移部が形成され、前記ベースハウジングの前記部分ハウジングが組み付けられない部分により前記受容部が形成され、前記ベースハウジングは前記遷移部に配置される２つの第１の切欠部を有し、前記部分ハウジングは前記遷移部に配置され且つ一方の前記第１の切欠部にそれぞれ対応する前記２つの貫通孔が形成される２つの第２の切欠部を有することを特徴とする請求項２に記載の電池受容体。
【請求項４】
前記ハウジングは、ベースハウジングと、前記ベースハウジングに対応するように設けられる部分ハウジングとを有し、前記ベースハウジングの前記部分ハウジングが組み付けられる部分により前記遷移部が形成され、前記ベースハウジングの前記部分ハウジングが組み付けられない部分により前記受容部が形成されることを特徴とする請求項１または２に記載の電池受容体。
【請求項５】
前記ベースハウジング及び前記部分ハウジングには、前記ベースハウジングの前記部分ハウジングが組み付けられる箇所に配置される複数の組付部と、前記ベースハウジングの前記部分ハウジングが組み付けられる箇所に配置され且つ前記組付部をそれぞれ入れるための複数の組付孔とがそれぞれ成形されることを特徴とする請求項４に記載の電池受容体。
【請求項６】
前記ベースハウジング及び前記部分ハウジングには、前記遷移部に配置され且つ前記電池受容体を固定するためのスライド溝がそれぞれ成形されることを特徴とする請求項４に記載の電池受容体。
【請求項７】
前記ベースハウジングには前記回路基板の移動範囲を限定するための少なくとも１つのストップブロックが成形されることを特徴とする請求項４に記載の電池受容体。
【請求項８】
発光疑似餌であって、
疑似餌本体と、
発光アセンブリと、前記発光アセンブリに接続され且つ前記発光アセンブリに電力を提供する給電モジュールとを含むように前記疑似餌本体内に設けられ、前記給電モジュールは場合によって充電式電池または電池モジュールで電力を提供するように構成され、前記電池モジュールは２つの電極を有する少なくとも１つの一次電池及び電池受容体からなり、前記電池受容体はハウジングと、前記ハウジング内に設けられる電力アセンブリとを含み、前記ハウジングは遷移部と、前記遷移部に接続され且つ場合によって前記一次電池を入れるように構成される受容部とを含み、前記電力アセンブリは前記遷移部に設けられる回路基板と、前記受容部に対向するように前記回路基板に設けられることによって前記一次電池が入れられるとき、前記２つの電極のうちの一方に接触する第１の導電端子と、前記受容部の前記回路基板から離隔する一端まで延在して前記回路基板に接続され且つ前記一次電池が入れられるとき、前記２つの電極のうちの他方に接触する第２の導電端子と、前記ハウジングから突出するように前記回路基板側に設けられ且つ前記第１の導電端子及び前記第２の導電端子とそれぞれ電気的に接続される２つの出力端子とを有する発光モジュールと、を含むことを特徴とする発光疑似餌。
【考案の詳細な説明】
【技術分野】
【０００１】
本考案は、電池受容体及び電池受容体が適用される発光疑似餌に係り、より詳しくは、充電式電池と同じサイズを有する電池受容体及び当該電池受容体が適用される発光疑似餌に関する。
【背景技術】
【０００２】
従来使用される発光疑似餌は、主に魚類の趨光性を利用するものであり、魚類が発光疑似餌から発せられた光を見ると、それを食べられる生き物と誤認して発光疑似餌に群がっていく仕組みとなっている。一方、従来の発光疑似餌はほとんどが一回限りの使用で使い捨てる乾電池と組合せて使用されるので、使用者は、発光素子に必要な電力を提供するために、場合によって環境に優しい充電式電池またはより便利な使い捨てタイプの乾電池を選択するように実施することができず、このため、従来の発光疑似餌は、使用上大きな限界がある。
【考案の概要】
【考案が解決しようとする課題】
【０００３】
本考案の主な目的は、従来の発光疑似餌は一回限りの電池でしか電力が提供されないことから生じる問題を解決することである。
【課題を解決するための手段】
【０００４】
本考案は、上記の目的を達成する電池受容体を提供する。当該電池受容体は少なくとも１つの一回限りの使用で使い捨てる電池、いわゆる一次電池と組み合わせて発光疑似餌内に収容される電池モジュールを構成するように実施されるものであり、当該発光疑似餌は、場合によって当該電池モジュールまたは充電式電池をその中に組み入れるように構成され、当該充電式電池は第１のサイズを有し、当該一次電池は２つの電極を有する。さらに、当該電池受容体は当該第１のサイズとほぼ同じである第２のサイズを有するハウジングと、当該ハウジング内に設けられる電力アセンブリとを含み、当該ハウジングは遷移部と、当該遷移部に接続され且つ場合によって当該一次電池を入れるように構成される受容部とを含み、当該電力アセンブリは当該遷移部に設けられる回路基板と、当該受容部に対向するように当該回路基板に設けられることによって当該一次電池が入れられるとき、当該２つの電極のうちの一方に接触する第１の導電端子と、当該受容部の当該回路基板から離隔する一端まで延在して当該回路基板に接続され且つ当該一次電池が入れられるとき、当該２つの電極のうちの他方に接触する第２の導電端子と、当該ハウジングから突出するように当該回路基板側に設けられ且つ当該第１の導電端子及び当該第２の導電端子とそれぞれ電気的に接続される２つの出力端子とを含む。
【０００５】
本考案の一実施例に係る電池受容体において、当該ハウジングは当該遷移部に配置され且つ当該２つの出力端子をそれぞれ通すための２つの貫通孔を有する。
【０００６】
本考案の一実施例に係る電池受容体において、当該ハウジングはベースハウジングと、当該ベースハウジングに対応するように設けられる部分ハウジングとを有し、当該ベースハウジングの当該部分ハウジングと組み付けられる部分により当該遷移部が形成され、当該ベースハウジングの当該部分ハウジングと組み付けられない部分により当該受容部が形成され、当該ベースハウジングは当該遷移部に配置される２つの第１の切欠部を有し、当該部分ハウジングは当該遷移部に配置され且つ一方の当該第１の切欠部にそれぞれ対応することで当該２つの貫通孔が形成される２つの第２の切欠部を有する。
【０００７】
本考案の一実施例に係る電池受容体において、当該ベースハウジング及び当該部分ハウジングには、当該ベースハウジングの当該部分ハウジングが組み付けられる箇所に配置される複数の組付部と、当該ベースハウジングの当該部分ハウジングが組み付けられる箇所に配置され且つ一方の当該組付部をそれぞれ入れるための複数の組付孔とがそれぞれ成形される。
【０００８】
本考案の一実施例に係る電池受容体において、当該ベースハウジング及び当該部分ハウジングには、当該遷移部に配置され且つ当該電池受容体を固定するためのスライド溝がそれぞれ成形される。
【０００９】
本考案の一実施例に係る電池受容体において、当該ベースハウジングには当該回路基板の移動範囲を限定するための少なくとも１つのストップブロックが成形される。
【００１０】
本考案はさらに、発光疑似餌を提供する。当該発光疑似餌は疑似餌本体と、当該疑似餌本体内に設けられる発光モジュールとを含み、当該発光モジュールは発光アセンブリと、当該発光アセンブリに接続され且つ当該発光アセンブリに電力を提供する給電モジュールとを含み、当該給電モジュールは場合によって充電式電池または電池モジュールで電力を提供するように構成され、当該電池モジュールは２つの電極を有する少なくとも１つの一次電池及び電池受容体からなり、当該電池受容体はハウジングと、当該ハウジング内に設けられる電力アセンブリとを含み、当該ハウジングは遷移部と、当該遷移部に接続され且つ場合によって当該一次電池を入れるように構成される受容部とを含み、当該電力アセンブリは当該遷移部に設けられる回路基板と、当該受容部に対向するように当該回路基板に設けられることによって当該一次電池が入れられるとき、当該２つの電極のうちの一方に接触する第１の導電端子と、当該受容部の当該回路基板から離隔する一端まで延在して当該回路基板に接続され且つ当該一次電池が入れられるとき、当該２つの電極のうちの他方に接触する第２の導電端子と、当該ハウジングから突出するように当該回路基板側に設けられ且つ当該第１の導電端子及び当該第２の導電端子とそれぞれ電気的に接続される２つの出力端子とを含む。
【考案の効果】
【００１１】
上述の記載から分かるように、本考案は従来技術と比べて以下の特徴を有する。本考案においては、ハウジングの第２のサイズが充電式電池の第１のサイズとほぼ同じであることにより、使用者が充電式電池の代わりに電池モジュールを疑似餌本体に入れることで発光アセンブリに電力が提供される。すなわち、本考案に係る発光疑似餌によれば、使用者は、発光アセンブリに電力を提供するために、場合によって電池モジュールまたは充電式電池を選択できる構成とすることにより、従来の発光疑似餌は一回限りの電池でしか電力が提供されないという問題が解決する。
【図面の簡単な説明】
【００１２】
【図１】本考案の一実施例に係る電池受容体を一次電池と組み合わせた構造を概略的に示す図である。
【図２】本考案の一実施例に係る電池受容体を一次電池と組み合わせた場合の斜視分解図である。
【図３】本考案の一実施例に係る電池受容体を一次電池と組み合わせた場合の別の方向から見た斜視分解図である。
【図４】本考案の一実施例に係る電池受容体を一次電池と組み合わせた場合の断面構造を概略的に示す図である。
【図５】本考案一実施例に係る発光疑似餌を電池モジュールと組み合わせた場合の斜視分解図である。
【考案を実施するための形態】
【００１３】
以下、図１から図５を参照して本考案を詳細に説明する。
図１から図５に示すように、本考案は発光モジュールを備える発光疑似餌１００及び発光疑似餌１００に適用される電池受容体１０を提供する。電池受容体１０は少なくとも１つの一次電池２０と組み合わせて電池モジュール３０を構成することができ、一次電池２０は２つの電極（２１、２２）を有し、また発光疑似餌１００は場合によって充電式電池（図示せず）または電池モジュール３０をその中に入れることによって発光疑似餌１００の発光時に必要な電力を提供するように構成される。さらに、当該充電式電池は第１のサイズを有し、電池受容体１０は第２のサイズを有するハウジング１１を含み、当該第１のサイズは当該第２のサイズとほぼ同じであり、さらに、ハウジング１１は遷移部１１０及び遷移部１１０に接続される受容部１１１を有し、受容部１１１は場合によって一次電池２０を入れるように構成される。また、図１を参照すると、遷移部１１０の断面は円形の形状であり、受容部１１１の断面は半円形の形状であり、受容部１１１は遷移部１１０の片面から延伸することでハウジング１１の側面がＬ字状になる。そして、一次電池２０は遷移部１１０と受容部１１１とが形成した開口部から受容部１１１に入れられる。また、本考案においては、受容部１１１内に複数の一次電池２０が設けられ、これらの一次電池２０同士が直列接続された上で接着膜２３によって封止され、これによりそれぞれの一次電池２０の一方の電極２１（２２）が他方の一次電池２０の電極２２（２１）に隙間なく接続されることになる。
【００１４】
さらに、電池受容体１０はハウジング１１内に配置される電力アセンブリ１３を有し、電力アセンブリ１３は一次電池２０が受容部１１１に入れられると一次電池２０の提供する電力を出力し、電力アセンブリ１３は回路基板１３１と、第１の導電端子１３２と、第２の導電端子１３３と、２つの出力端子１３４とを含む。具体的には、回路基板１３１は遷移部１１０内に設けられ、第１の導電端子１３２は回路基板１３１から突出するように回路基板１３１の受容部１１１に対向する面に設けられ、一次電池２０が受容部１１１に入れられると第１の導電端子１３２を介して２つの電極（２１、２２）の一方に接触する。また、第２の導電端子１３３は、回路基板１３１に接続され、且つ、回路基板１３１から延伸するように受容部１１１の回路基板１３１から離隔する一端に設けられることにより、一次電池２０が入れられるとき、２つの電極（２１、２２）のうちの他方に接触し、すなわち、第１の導電端子１３２及び第２の導電端子１３３がそれぞれ一次電池２０の一方の電極２１（２２）に接触することによって一次電池２０の電力が引き出される。さらに、２つの出力端子１３４は、回路基板１３１に設けられ、且つ、回路基板１３１を介して第１の導電端子１３２及び第２の導電端子１３３とそれぞれ電気的に接続され、また、２つの出力端子１３４は、一次電池２０が受容部１１１に入れられると電池モジュール３０の正極及び負極として機能する。
【００１５】
図１から図４に示すように、本考案の一実施例として、ハウジング１１はベースハウジング１１３及びベースハウジング１１３に対応するように設けられる部分ハウジング１１４からなり、ベースハウジング１１３及び部分ハウジング１１４はいずれも半円形のハウジングであり、且つ、部分ハウジング１１４の長さはベースハウジング１１３より短く、すなわち、ベースハウジング１１３の部分ハウジング１１４が組み付けられる部分と部分ハウジング１１４とにより遷移部１１０が形成され、ベースハウジング１１３の部分ハウジング１１４が組み付けられない部分により受容部１１１が形成される。さらに、ベースハウジング１１３の部分ハウジング１１４が組み付けられる箇所には複数の組付部１１７、及び組付部１１７をそれぞれ入れるための複数の組付孔１１８がそれぞれ成形され、組付部１１７が場合によってベースハウジング１１３または部分ハウジング１１４に成形されるように構成され、ベースハウジング１１３と部分ハウジング１１４のうち、組付部１１７が成形されていない方には組付孔１１８が成形され、組付部１１７が組付孔１１８と互いに組み付けられると、ベースハウジング１１３と部分ハウジング１１４との接続が強化される。また、本考案の一実施例として、ベースハウジング１１３及び部分ハウジング１１４にはそれぞれスライド溝１１９が成形され、２つのスライド溝１１９は電池受容体１０が発光疑似餌１００に入れられるとき、電池受容体１０を発光疑似餌１００内に固定することできる。
【００１６】
図１から図５に示すように、２つの出力端子１３４をハウジング１１の外部に通して発光アセンブリ４０に電力を出力するために、本考案の一実施例として、ハウジング１１には２つの貫通孔１１２が成形され、２つの貫通孔１１２は、２つの出力端子１３４をそれぞれ通すために遷移部１１０に配置され、本実施例においては、２つの貫通孔１１２はベースハウジング１１３の部分ハウジング１１４が組み付けられる箇所に配置される。さらに、ベースハウジング１１３は部分ハウジング１１４に対向するように遷移部１１０に配置される２つの第１の切欠部１１５を有し、部分ハウジング１１４は第１の切欠部１１５のそれぞれに対応するように遷移部１１０に配置される２つの第２の切欠部１１６を有し、ベースハウジング１１３が部分ハウジング１１４と組み付けられると、第１の切欠部１１５と第２の切欠部１１６とにより２つの貫通孔１１２が構成される。
【００１７】
以下、図１から図５を参照して、発光疑似餌１００について説明する。発光疑似餌１００は給電モジュール（図示せず）及び当該給電モジュールに接続される発光アセンブリ４０を有し、発光アセンブリ４０は当該給電モジュールの提供する電力を受けると発光アセンブリ４０が発光し魚群が引き付けられる。また、当該給電モジュールと発光アセンブリ４０とにより発光モジュール５０が構成され、発光モジュール５０と疑似餌本体６０とにより発光疑似餌１００が構成される。さらに、図５に示すように、当該給電モジュールは場合によって充電式電池または電池モジュール３０で発光アセンブリ４０に電力を提供するように構成され、すなわち、電池受容体１０に一次電池２０が入れられて電池モジュール３０が構成されるとき、電池モジュール３０は当該充電式電池の代わりとして、発光アセンブリ４０に電力を提供するように機能する。これにより、本考案に係る発光疑似餌１００は、電力を提供するために、使用者が場合によって電池モジュール３０または当該充電式電池を選択できるように構成されることにより、従来の発光疑似餌は一回限りの電池でしか電力が提供されないという問題が解決される。
【００１８】
図１から図５に示すように、本考案の一実施例として、発光アセンブリ４０は発光用の発光体４１及び発光体４１と当該給電モジュールとに接続される発光回路基板４２を有し、発光体４１としては、発光ダイオードとすることができる。さらに、発光モジュール５０は発光アセンブリ４０及び当該給電モジュールを入れるための第１の筐体６１及び第１の筐体６１に対応するように設けられる第２の筐体６２を有し、第１の筐体６１にはねじ構造６３が成形され、発光アセンブリ４０及び当該給電モジュールが第１の筐体６１に入れられると、使用者は第２の筐体６２で第１の筐体６１を被って、第１の筐体６１または第２の筐体６２を回転させることで第１の筐体６１と第２の筐体６２との間の距離を低減することにより、発光アセンブリ４０が押し付けられ発光回路基板４２が２つの出力端子１３４に接触して、電力を受け取ることになる。さらに、電池受容体１０のベースハウジング１１３には少なくとも１つのストップブロック１２０が成形され、ストップブロック１２０により、２つの出力端子１３４が発光回路基板４２によって押し付けられるとき、回路基板１３１を受け止めることで回路基板１３１の移動範囲が限定される。
【符号の説明】
【００１９】
１０  電池受容体
１１  ハウジング
１３  電力アセンブリ
２０  一次電池
２１、２２  電極
２３  接着膜
３０  電池モジュール
４０  発光アセンブリ．
４１  発光体
４２  発光回路基板
５０  発光モジュール
６０  疑似餌本体
６１  第１の筐体
６２  第２の筐体
６３  ねじ構造
１００  発光疑似餌
１１０  遷移部
１１１  受容部
１１２  貫通孔
１１３  ベースハウジング
１１４  ハウジング
１１５  第１の切欠部
１１６  第２の切欠部
１１７  組付部
１１８  組付孔
１１９  スライド溝
１２０  ストップブロック
１３１  回路基板
１３２  第１の導電端子
１３３  第２の導電端子
１３４  出力端子
【図１】
0003225385.tif 000003
【図２】
0003225385.tif 000004
【図３】
0003225385.tif 000005
【図４】
0003225385.tif 000006
【図５】
0003225385.tif 000007
【手続補正書】
【提出日】令和1年12月23日(2019.12.23)
【手続補正１】
【補正対象書類名】実用新案登録請求の範囲
【補正対象項目名】全文
【補正方法】変更
【補正の内容】
【実用新案登録請求の範囲】
【請求項１】
電池受容体は、
少なくとも１つの一次電池と組み合わせて発光疑似餌内に収容される電池モジュールを構成するように実施され、
前記発光疑似餌は場合によって前記電池モジュールまたは充電式電池をその中に組み入れるように構成され、
前記充電式電池は第１のサイズを有し、前記一次電池は２つの電極を有するように構成され、
前記第１のサイズとほぼ同じである第２のサイズを有し、遷移部と、前記遷移部に接続され且つ前記一次電池を入れるように構成される受容部とを含む、ハウジングと、
前記ハウジング内に設けられ、前記遷移部に設けられる回路基板と、前記受容部に対向するように前記回路基板が設けられることによって前記一次電池が入れられるとき、前記２つの電極のうちの一方に接触する第１の導電端子と、前記受容部の前記回路基板から離隔する一端まで延在して前記回路基板に接続され且つ前記一次電池が入れられるとき、前記２つの電極のうちの他方に接触する第２の導電端子と、前記ハウジングから突出するように前記回路基板側に設けられ且つ前記第１の導電端子及び前記第２の導電端子とそれぞれ電気的に接続される２つの出力端子とを含む電力アセンブリと、を含むことを特徴とする電池受容体。
【請求項２】
前記ハウジングは、前記遷移部に配置され且つ前記２つの出力端子をそれぞれ通すための２つの貫通孔を有することを特徴とする請求項１に記載の電池受容体。
【請求項３】
前記ハウジングは、ベースハウジングと、前記ベースハウジングに対応するように設けられる部分ハウジングとを有し、前記ベースハウジングの前記部分ハウジングが組み付けられる部分により前記遷移部が形成され、前記ベースハウジングの前記部分ハウジングが組み付けられない部分により前記受容部が形成され、前記ベースハウジングは前記遷移部に配置される２つの第１の切欠部を有し、前記部分ハウジングは前記遷移部に配置され且つ前記第１の切欠部にそれぞれ対応し前記２つの貫通孔を形成する２つの第２の切欠部を有することを特徴とする請求項２に記載の電池受容体。
【請求項４】
前記ハウジングは、ベースハウジングと、前記ベースハウジングに対応するように設けられる部分ハウジングとを有し、前記ベースハウジングの前記部分ハウジングが組み付けられる部分により前記遷移部が形成され、前記ベースハウジングの前記部分ハウジングが組み付けられない部分により前記受容部が形成されることを特徴とする請求項１または２に記載の電池受容体。
【請求項５】
前記ベースハウジング及び前記部分ハウジングには、前記ベースハウジングの前記部分ハウジングが組み付けられる箇所に配置される複数の組付部と、前記ベースハウジングの前記部分ハウジングが組み付けられる箇所に配置され且つ前記組付部をそれぞれ入れるための複数の組付孔とがそれぞれ成形されることを特徴とする請求項４に記載の電池受容体。
【請求項６】
前記ベースハウジング及び前記部分ハウジングには、前記遷移部に配置され且つ前記電池受容体を固定するためのスライド溝がそれぞれ成形されることを特徴とする請求項４に記載の電池受容体。
【請求項７】
前記ベースハウジングには前記回路基板の移動範囲を限定するための少なくとも１つのストップブロックが成形されることを特徴とする請求項４に記載の電池受容体。
【請求項８】
発光疑似餌であって、
疑似餌本体と、
発光アセンブリと、前記発光アセンブリに接続され且つ前記発光アセンブリに電力を提供する給電モジュールとを含むように前記疑似餌本体内に設けられ、前記給電モジュールは場合によって充電式電池または電池モジュールで電力を提供するように構成され、前記電池モジュールは２つの電極を有する少なくとも１つの一次電池及び電池受容体からなり、前記電池受容体はハウジングと、前記ハウジング内に設けられる電力アセンブリとを含み、前記ハウジングは遷移部と、前記遷移部に接続され且つ前記一次電池を入れるように構成される受容部とを含み、前記電力アセンブリは前記遷移部に設けられる回路基板と、前記受容部に対向するように前記回路基板が設けられることによって前記一次電池が入れられるとき、前記２つの電極のうちの一方に接触する第１の導電端子と、前記受容部の前記回路基板から離隔する一端まで延在して前記回路基板に接続され且つ前記一次電池が入れられるとき、前記２つの電極のうちの他方に接触する第２の導電端子と、前記ハウジングから突出するように前記回路基板側に設けられ且つ前記第１の導電端子及び前記第２の導電端子とそれぞれ電気的に接続される２つの出力端子とを有する発光モジュールと、を含むことを特徴とする発光疑似餌。